(57)【要約】【課題】  画像データから抽出した特徴量を予め登録された特徴量と比較することにより画像データの同一性を判定する場合に、登録された画像とは異なるレイアウトに変更された画像データであっても、適切な判定結果を効率よく得ることができる情報処理装置、情報処理システム、及びその制御方法、プログラム、記憶媒体を提供する。【解決手段】  スキャナ装置１７０で原稿を読み取って得た画像データを、画像変更部１１７において複数の異なるレイアウトの画像データに変更する。特徴量抽出部１１５は得られた画像データからそれぞれ特徴量を抽出し、抽出された複数の特徴量をそれぞれ関連付けて、入出力部１２１から外部に送信するか、またはＭｅｍｏｒｙ１８０に転送して保存する。そして、外部サーバまたは照合部１１６により登録済の特徴量と鑑定する特徴量との照合を行い、照合の結果に基づく情報を操作パネル部１４０に表示する。【選択図】  図１
2007316849.tif 000002
【特許請求の範囲】
【請求項１】
画像データを入力する入力手段と、
画像データから特徴量を抽出する抽出手段と、
前記入力手段により入力された第１の画像データのレイアウトを変更する変更手段と、
前記第１の画像データ、及び前記第１の画像データに基づいて前記変更手段によりレイアウトが変更された第２の画像データを含む、前記第１の画像データに基づく複数の異なるレイアウトの画像データのうち、少なくとも２つの画像データから前記抽出手段がそれぞれ抽出した第１の特徴量及び第２の特徴量を、対応付けて記憶する記憶手段と、
前記抽出手段により第３の画像データから抽出された第３の特徴量と、前記記憶手段に記憶された前記第１の特徴量及び前記第２の特徴量とを、それぞれ比較する比較手段と、
前記比較手段による比較の結果、前記第１の特徴量または前記第２の特徴量のうちいずれかが前記第３の特徴量と一致した場合に、前記第１の画像データ及び前記第３の画像データが同一の内容であると判定する判定手段と、
を備えることを特徴とする情報処理装置。
【請求項２】
ユーザの指示を受け付ける操作手段を更に備え、
前記変更手段は、前記操作手段が受け付けたユーザの指示に応じて、前記第１の画像データのレイアウトを変更することを特徴とする請求項１に記載の情報処理装置。
【請求項３】
前記記憶手段は、前記抽出手段により抽出された特徴量に加え、該特徴量が抽出された画像データのレイアウトを特定する情報を対応付けて記憶することを特徴とする請求項１または２に記載の情報処理装置。
【請求項４】
前記判定手段による判定の結果を示す情報を出力する出力手段を更に備え、
前記出力手段は、前記判定の結果を示す情報を表示する表示部、または前記判定の結果を示す情報を印刷する印刷装置を含むことを特徴とする請求項１から３のいずれか１項に記載の情報処理装置。
【請求項５】
前記入力手段は、原稿上の画像を読み取って画像データを入力する読取装置を含むことを特徴とする請求項１から４のいずれか１項に記載の情報処理装置。
【請求項６】
前記レイアウトとは、Ｎ（Ｎ＞０）ページを１枚の記録媒体の同一面上に配置するＮｉｎ１配置に係るレイアウトであって、前記変更手段は、前記第１の画像データのレイアウトにおけるＮｉｎ１のＮの値を変更することにより前記第２の画像データを生成することを特徴とする請求項１から５のいずれか１項に記載の情報処理装置。
【請求項７】
画像データを入力する入力手段と、
画像データから特徴量を抽出する抽出手段と、
前記入力手段により入力された第１の画像データのレイアウトを変更する変更手段と、
前記第１の画像データ、及び前記第１の画像データに基づいて前記変更手段によりレイアウトが変更された第２の画像データを含む、前記第１の画像データに基づく複数の異なるレイアウトの画像データのうち、少なくとも２つの画像データから前記抽出手段がそれぞれ抽出した第１の特徴量及び第２の特徴量を、対応付けて記憶する記憶手段と、
前記抽出手段により第３の画像データから抽出された第３の特徴量と、前記記憶手段に記憶された前記第１の特徴量及び前記第２の特徴量とを、それぞれ比較する比較手段と、
前記比較手段による比較の結果、前記第１の特徴量または前記第２の特徴量のうちいずれかが前記第３の特徴量と一致した場合に、前記第１の画像データ及び前記第３の画像データが同一の内容であると判定する判定手段と、
を備えることを特徴とする情報処理システム。
【請求項８】
前記情報処理システムはネットワークを介して接続された情報処理装置及びサーバ装置を含み、
前記情報処理装置は、前記第１の特徴量、前記第２の特徴量、及び前記第３の特徴量を、前記ネットワークを介して前記サーバ装置に送信する送信手段と、前記入力手段と、前記変更手段と、前記抽出手段とを備え、
前記サーバ装置は、前記情報処理装置から、前記第１の特徴量、前記第２の特徴量、及び前記第３の特徴量を受信する受信手段と、前記記憶手段と、前記比較手段と、前記判定手段と備え、
前記記憶手段は、前記受信手段が受信した前記第１の特徴量、前記第２の特徴量、及び前記第３の特徴量を記憶することを特徴とする請求項７に記載の情報処理システム。
【請求項９】
前記サーバ装置は、前記判定手段が、前記第１の画像データ及び前記第３の画像データが同一の内容であると判定した場合に、該第３の画像データが原本性を有することを保証する原本性保証サーバ装置であることを特徴とする請求項７または８に記載の情報処理システム。
【請求項１０】
画像データを入力する入力工程と、
画像データから特徴量を抽出する抽出工程と、
前記入力工程で入力された第１の画像データのレイアウトを変更する変更工程と、
前記第１の画像データ、及び前記第１の画像データに基づいて前記変更工程においてレイアウトが変更された第２の画像データを含む、前記第１の画像データに基づく複数の異なるレイアウトの画像データのうち、少なくとも２つの画像データから前記抽出工程でそれぞれ抽出された第１の特徴量及び第２の特徴量を対応付けて記憶する記憶工程と、
前記抽出工程で第３の画像データから抽出された第３の特徴量と、前記記憶工程で記憶された前記第１の特徴量及び前記第２の特徴量とを、それぞれ比較する比較工程と、
前記比較工程における比較の結果、前記第１の特徴量または前記第２の特徴量のうちいずれかが前記第３の特徴量と一致した場合に、前記第１の画像データ及び前記第３の画像データが同一の内容であると判定する判定工程と、
を備えることを特徴とする情報処理システムの制御方法。
【請求項１１】
請求項１０に記載の制御方法をコンピュータに実行させるためのプログラム。
【請求項１２】
請求項１０に記載の制御方法をコンピュータに実行させるためのプログラムを記録したコンピュータ読み取り可能な記憶媒体。
【発明の詳細な説明】
【技術分野】
【０００１】
本発明は、画像データから抽出した特徴量を用いて情報処理を行う情報処理装置、情報処理システム、及びその制御方法、プログラム、記憶媒体に関するものである。
【背景技術】
【０００２】
従来から、画像データから抽出した特徴量を用いて、様々な情報処理を行う技術が知られている。例えば、画像の特徴量を用いて原本性を保証する分野においては、原稿上の画像をデジタル化したものから特徴量を抽出して、ネットワーク上に登録しておく。そして、原本性の鑑定を行う際に抽出した特徴量と予め登録した特徴量とを照合する技術が開示されている。これによれば、登録時と鑑定時にそれぞれ入力した画像データが改ざんされていなければ、特徴量が一致するので画像データの原本性を保証することができる（例えば、特許文献１参照）。
【０００３】
一方、近年の印刷技術の多様化により、複数ページを１枚の記録媒体の同一面上に配置して印刷することが可能となっている。例えば、原本であるオリジナルの画像データを受け取って、その画像データを印刷出力する際に、Ｎページ分を１枚の印刷用紙の同一面上に配置して出力する（以降、Ｎｉｎ１とする）ことができる。
【０００４】
しかしながら、上述したように原本である画像から抽出して登録した特徴量との照合を行う場合に、鑑定される原稿がＮｉｎ１で印刷されたものである場合に問題が生じる。すなわち、特許文献１ではＮｉｎ１で印刷された原稿についてはなんら考慮しておらず、Ｎｉｎ１で配置されている原稿であっても１ページ分として解釈してしまう。この場合、当然ながら登録されている特徴量がＮｉｎ１のレイアウトで抽出されたものでなければ、たとえ同一の内容であったとしても特徴量が一致せず適切な判定ができない。
【０００５】
このような問題を解決するために、Ｎｉｎ１のレイアウトで出力された原稿の場合でも、適切に特徴量を抽出し、その特徴量を用いて検索を行う技術が提案されている。すなわち、原稿を読み取る際に、その原稿に含まれるページ数に応じた対象領域の特徴量を抽出し、その特徴量を用いて原稿画像の検索を行う。これにより、Ｎｉｎ１のレイアウトで出力された原稿の場合でも、適切に特徴量を抽出することができ、同一内容の文書を検索することができる（例えば、特許文献２参照）。
【特許文献１】特開２００４−３２０３７８号公報
【特許文献２】特開２００５−００４７２４号公報
【発明の開示】
【発明が解決しようとする課題】
【０００６】
しかしながら、上述した従来技術では次のような問題が生じている。すなわち、例えば照合を行うために原稿を読み取って得た画像の特徴量を抽出する場合に、ユーザがその原稿が元の原稿からレイアウトが変更されたもの（例えばＮｉｎ１のＮの値が変更された状態で印刷されたもの）であることを認識していない場合がある。この場合、レイアウト変更されて印刷された原稿であることを指定できず、適切に特徴量を抽出できない。また、元の原稿からレイアウトが変更された原稿であるか否かを自動で判定するとしても、そもそも原本として登録されている原稿がＮｉｎ１のレイアウトである場合には、判定の結果に基づいて特徴量を抽出すると、正しい特徴量が抽出できない。
【０００７】
また、鑑定を行うための原稿を読み取る度に、毎回レイアウトが変更されているか否かの指定をユーザが行うのは使い勝手が悪く、また自動で判定するとしても複雑な処理が必要になってしまい、装置にかかる負荷が増大してしまう。
【０００８】
本発明は、上記の問題点に鑑みなされたものであり、画像データから抽出した特徴量を予め登録された特徴量と比較することにより画像データの同一性を判定する場合に、登録された画像とは異なるレイアウトに変更された画像データであっても、適切な判定を効率よく行うことができる情報処理装置、情報処理システム、及びその制御方法、プログラム、記憶媒体を提供することを目的とする。
【課題を解決するための手段】
【０００９】
上記の目的を達成するために本発明の情報処理装置は、画像データを入力する入力手段と、画像データから特徴量を抽出する抽出手段と、前記入力手段により入力された第１の画像データのレイアウトを変更する変更手段と、前記第１の画像データ、及び前記第１の画像データに基づいて前記変更手段によりレイアウトが変更された第２の画像データを含む、前記第１の画像データに基づく複数の異なるレイアウトの画像データのうち、少なくとも２つの画像データから前記抽出手段がそれぞれ抽出した第１の特徴量及び第２の特徴量を、対応付けて記憶する記憶手段と、前記抽出手段により第３の画像データから抽出された第３の特徴量と、前記記憶手段に記憶された前記第１の特徴量及び前記第２の特徴量とを、それぞれ比較する比較手段と、前記比較手段による比較の結果、前記第１の特徴量または前記第２の特徴量のうちいずれかが前記第３の特徴量と一致した場合に、前記第１の画像データ及び前記第３の画像データが同一の内容であると判定する判定手段とを備えることを特徴とする。
【００１０】
また、本発明の情報処理システムは、画像データを入力する入力手段と、画像データから特徴量を抽出する抽出手段と、前記入力手段により入力された第１の画像データのレイアウトを変更する変更手段と、前記第１の画像データ、及び前記第１の画像データに基づいて前記変更手段によりレイアウトが変更された第２の画像データを含む、前記第１の画像データに基づく複数の異なるレイアウトの画像データのうち、少なくとも２つの画像データから前記抽出手段がそれぞれ抽出した第１の特徴量及び第２の特徴量を、対応付けて記憶する記憶手段と、前記抽出手段により第３の画像データから抽出された第３の特徴量と、前記記憶手段に記憶された前記第１の特徴量及び前記第２の特徴量とを、それぞれ比較する比較手段と、前記比較手段による比較の結果、前記第１の特徴量または前記第２の特徴量のうちいずれかが前記第３の特徴量と一致した場合に、前記第１の画像データ及び前記第３の画像データが同一の内容であると判定する判定手段とを備えることを特徴とする。
【発明の効果】
【００１１】
本発明によれば、画像データから抽出した特徴量を予め登録された特徴量と比較することにより画像データの同一性を判定する場合に、元の画像からレイアウトが変更された画像データであっても、適切な判定を効率よく行うことができる。
【発明を実施するための最良の形態】
【００１２】
以下に、本発明の実施形態を説明する。
【００１３】
（第１の実施形態）
図１は、第１の実施形態における原本性保証システムの一部を構成する複合機のシステム構成図を示す。複合機１００は原稿上の画像を読み取って入力し、印刷・保存、または画像データを他の外部装置へ送信することができる。複合機１００は大きく分けて、装置全体の制御を行う制御ユニット１２０、出力画像の記録紙への印刷を行うプリンタ装置１６０、原稿から画像を読み取り、画像データとして装置内部に入力するスキャナ装置１７０からなる。
【００１４】
制御ユニット１２０は、ネットワーク１８１に接続されたネットワークケーブル１８２を介して、個々のクライアント端末やサーバ端末などの外部装置と接続されている。制御ユニット１２０は、外部装置とのデータの入出力を司る入出力部１２１を通じて、各端末装置との通信を行う。入出力バッファ１２２は、ネットワークから入力される印刷のための制御コードや、各種ＰＤＬ（Ｐａｇｅ  Ｄｅｓｃｒｉｐｔｉｏｎ  Ｌａｎｇｕａｇｅ）データや、または装置に関する各種データを送受信する際に利用される。ＣＰＵ１２５は制御ユニット全体の動作を制御する。プログラムＲＯＭ１１０には、ＣＰＵ１２５の動作を記述するプログラムが内蔵されている。ＣＰＵ１２５は、プログラムＲＯＭ１１０に記憶されているプログラムを読み出して実行することで、ＭＦＰ１００の備える各種機能を実現する。
【００１５】
ＲＡＭ１２９は、制御コードやデータの解釈や印刷、画像の読み取り等に必要な計算、入出力される画像データの処理のためのワークメモリに利用される。不揮発性ＲＡＭ（ＮＶＲＡＭ）１２８は、装置の電源が遮断されても保持しておく必要のあるデータを格納する。プログラムＲＯＭ１１０内にある制御データ解釈部１１１とＰＤＬデータ解釈部１１２は、それぞれ外部ＰＣなどから受信した印刷制御データやＰＤＬデータを解釈する。画像情報生成部１１３は、各種の画像オブジェクトを生成する。ビットマップ画像展開部１１４は、画像オブジェクトをビットマップ画像データに展開する。画像変更部１１７はビットマップ画像展開部１１４が展開したビットマップ画像データに基づいて各種変更処理を行う。具体的には、画像データのレイアウト（Ｎ（Ｎ＞０）ページを１枚の記録媒体の同一面上に配置するＮｉｎ１配置）、ページ毎の向き、ページ順序などを変更した状態のビットマップ画像データを生成する。第１の実施形態においては、後述するように一つの画像データの複数の異なるレイアウトにおける特徴量をそれぞれ抽出するが、ビットマップ画像展開部１１４が、画像変更部１１７が行う処理を併せて行うようにしてもよい。
【００１６】
特徴量抽出部１１５は、ビットマップ画像展開部１１４または画像変更部１１７から得られたビットマップ画像データから、特徴量を抽出する。ここで抽出される特徴量とは、少しでも画像のデータが異なれば、全く異なる値が算出されるハッシュ値を用いてもよいし、それ以外の方法で特徴量を抽出してもよい。即ち、例えば、画像の特徴点の位置情報などに基づいて特徴量を算出する際に、予め定められた範囲内での特徴点の位置のずれは無視して、同じ特徴量の値が算出されるような方法で特徴量を抽出してもよい。特徴量抽出部１１５で抽出された特徴量は、ネットワーク１８１を介して外部装置に送信されるか、またはＭｅｍｏｒｙ１８０に記憶される。ビットマップ画像転送部１２６は、ビットマップ画像展開部１１４によって展開されたビットマップ画像や、スキャナ装置１７０から原稿を読み込んで得られたビットマップ画像等を、プリンタ装置１６０に転送する。エンジンＩ／Ｆ部１２７は、ビットマップ画像転送部１２６とプリンタ装置１６０の制御ユニットを接続するＩ／Ｆである。
【００１７】
ビットマップ画像受信部１３０は、スキャナ装置１７０で読み込まれたビットマップ画像を受信する。スキャナＩ／Ｆ部１３１は、スキャナ装置１７０の制御ユニットとビットマップ画像受信部１３０を接続するＩ／Ｆである。
【００１８】
比較部１１６では、ビットマップ画像受信部１３０で受信したビットマップ画像から特徴量抽出部１１５で抽出した特徴量と、Ｍｅｍｏｒｙ１８０に記憶されている特徴量とを比較する。なお、比較処理を後述する原本性保証サーバ４０３で行う場合は、比較部１１６は必要ない。ＣＰＵ１２５は、比較部１１６において比較された結果に基づいて、それぞれの特徴量を抽出した文書情報が同一であるか否かを判定する。この比較及び判定処理に関する詳細は後述する。
【００１９】
操作パネル部１４０は、ユーザから機器全体の操作の指示を受け付け、またエラーや処理結果、操作ガイドなどの表示を行う。パネルＩ／Ｆ部１２３は、操作部１４０と制御ユニット１２０を接続するＩ／Ｆである。外部メモリ部１５０は、印刷データや外部から入力された画像データ、装置の各種情報などを記憶しておくことができ、メモリＩ／Ｆ部１２４を介して制御ユニットと接続されている。システムバス１８３は、上述した各ユニットを接続する。
【００２０】
プリンタ装置１６０に備えられたエンジン制御部１６１は、紙の給紙から印刷・排出までの印刷の制御を行う。スキャナ装置１７０に備えられたスキャナ制御部１７１は、画像を読み取るための原稿送り、画像の読み取り、原稿排出までのスキャン動作を制御する。
【００２１】
図２は、操作パネル１４０の外観図である。液晶パネル部２０１は、登録されている画像のプレビューや印刷状況などの装置情報、または各種処理の結果を表示する。また、液晶パネル部２０１は、タッチパネルであって、ユーザが触れた位置情報を検知して、各種処理の指示や文字情報の入力を行うことができる。スタートボタン２０２は、コピー機能や送信機能などのスタートを指示する場合に押下する。
【００２２】
その他のハードキーとして、機器のリセットを行うリセットボタン２０３、電源のオン／オフを行う電源ボタン２０４、コピー部数などを入力するテンキー群２１０、液晶パネル部２０１に表示されたカーソルを操作するためのカーソルキー２０６等がある。また、装置の機能モードを切替えるためのモードキーとして、コピーキー２０７、送信キー２０８、ボックスキー２０９が備えられている。
【００２３】
ログインキー２０５は、ユーザが装置の操作を行う前にユーザ認証を受ける際に押下するもので、ユーザが既にログインしている状態で押下するとログアウトすることができる。ユーザ認証にかかる操作の詳細は後述する。
【００２４】
図３は、複合機１００の構成図を示している。複合機１００は大きく分けて、プリンタ装置１６０の筐体３１５と、スキャナ装置１７０の原稿を給送するための原稿給紙ユニット３０２と、原稿を読み取るためのスキャナユニット３１４からなる。
【００２５】
筐体３１５には、プリンタ装置１６０を構成するための各機構と、その各機構による各印刷プロセス処理に関する制御を行うエンジン制御部１６１、及び図１に示す制御ユニット１２０を収納する制御ボード収納部３３２が内蔵されている。
【００２６】
この複合機１００は、シアン（Ｃ）、マゼンタ（Ｍ）、イエロー（Ｙ）、ブラック（Ｂ）の４色のトナーを用いたフルカラー印刷が可能である。複合機１００は、搬送方向に垂直方向に併設された４個の像担持体としての感光体ドラム３４２（３４２Ｃ、３４２Ｍ、３４２Ｙ、３４２Ｋ）を備えている。帯電装置３４５（３４５Ｃ、３４５Ｍ、３４５Ｙ、３４５Ｋ）は、感光体ドラム３４２の表面を均一に帯電する。印刷スキャナ部３４９（３４９Ｃ、３４９Ｍ、３４９Ｙ、３４９Ｋ）は、画像情報に基づいてレーザビームを走査しつつ照射し、感光体ドラム３４２上に静電潜像を形成する。
【００２７】
現像装置３４４（３４４Ｃ、３４４Ｍ、３４４Ｙ、３４４Ｋ）は、静電潜像にトナーを付着させてトナー像として現像する。静電搬送転写装置３２２は、感光体ドラム３４２上のトナー像を転写材に転写させる。クリーニング装置３４６（３４６Ｃ、３４６Ｍ、３４６Ｙ、３４６Ｋ）は、転写後の感光体ドラム３４２の表面に残ったトナーを除去する。
【００２８】
静電搬送ベルト３２６は、全ての感光体ドラム３４２に対向し、接するように循環移動するベルト部材である。この静電搬送ベルト３２６は、垂直方向に４軸でローラに支持され、図中左側の外周面に転写材を静電吸着して、感光体ドラム３４２に転写材を接触させるべく循環移動する。これにより、転写材は静電搬送ベルト３２６により転写位置まで搬送され、感光体ドラム３４２上のトナー像が順次転写される。
【００２９】
給紙部３３１は、画像形成部に転写材を給紙するものであり、複数枚の転写材が給紙カセット３２９に収納されている。画像形成時には、給紙ローラ３２８、レジストローラ対３２７が画像形成動作に応じて駆動回転し、給紙カセット３２９内の転写材を１枚ずつ分離給紙する。また、転写材先端はレジストローラ対３２７に突き当たり、一時停止し、ループを形成した後、静電搬送ベルト３２６へと再給紙されていく。
【００３０】
定着部３１９は、転写材に転写された複数のトナー画像を定着させるものであって、駆動回転する加熱ローラ３１８と、これに接して転写材に熱及び圧力を印加する加圧ローラ３１７とから構成される。すなわち、感光体ドラム３４２上のトナー像が転写された転写材は、定着部３１９を通過する際に定着ローラ対３１７、３１８で搬送されるとともに、定着ローラ対で熱及び圧力を印加されて、複数色のトナー像が転写材表面に定着される。その後、定着された転写材は排出ローラ対３１６によって排出部に排出される。
【００３１】
また、複合機１００は、スキャナ装置１７０により原稿上の画像を読み取って入力することが可能であり、スキャナ装置１７０の原稿給紙ユニット（ＤＦユニット）３０２は、原稿３０１を上から順に１枚ずつプラテンガラス３０６上へ給送する。さらに、スキャナユニット３１４による原稿の読み取り終了後、プラテンガラス３０６上の原稿を排出トレイ３０５に排出する。
【００３２】
センサ３０４は、原稿の有無を検知する。スキャナユニット３０２では、原稿がプラテンガラス３０６上に搬送されると、ランプ３０９を点灯させ、光学ユニット３１３の移動を開始して原稿を露光走査する。このとき、原稿からの反射光はミラー３１２、３１０、３１１及びレンズ３０８を介してＣＣＤイメージセンサ（以下、ＣＣＤとする）３０７へ導かれる。このように走査された原稿の画像は、ＣＣＤ３０７によって読み取られる。ＣＣＤ３０７から出力される画像データは、所定の処理が施された後、スキャナＩ／Ｆ部１３１を介して制御ユニット１２０へ転送される。
【００３３】
図４は、第１の実施形態における原本性保証システムの構成図である。上述した複合機１００、及び複合機１００と同様の機能を備えた複合機１０１は、各種データの入出力端末として利用される。また、複合機１００及び１０１はＬＡＮ４１０と接続されており、ＬＡＮに接続された各クライアントやサーバと各種通信を行って、データを送受信することができる。なお、本システムにおいては、ＬＡＮ４１０に代えて、インターネットなどの種々の通信媒体を介して各端末を接続していてもよい。
【００３４】
原本性保証サーバ４０３は、ＬＡＮ４１０に接続され、複合機１００及び１０１から原本性保証に関するサービス依頼を受け付ける。具体的には、複合機１００及び１０１から原本として指定された情報を登録するために、登録される文書に基づく情報（画像データまたは特徴量など）を受信して登録する。また、複合機１００、１０１から原本との比較（鑑定）の依頼を受け付けて、自装置に記憶している情報と比較し、その類似性を判定する。
【００３５】
図５には、原本性保証サーバ４０３のシステム構成図を示す。制御部５２０には、原本性保証サーバ全体の動作を制御するＣＰＵ５３０、ＣＰＵの動作を記述するプログラムが内蔵されているプログラムＲＯＭ５３１が備えられている。ＣＰＵ５３０は、プログラムＲＯＭ５３１に記憶されているプログラムを読み出して実行することで、原本性保証サーバ４０３の備える各種機能を実現する。また、制御部５２０は、ネットワーク５１０上に接続されている他の端末とのデータの入出力を司る入出力部５２１を通じて、各端末との通信を行う。プログラムＲＯＭ５３１には、複合機１００内の比較部１１６と同様の機能を有する比較部５３２が備えられている。
【００３６】
入出力バッファ５２２は、ネットワークから入力される各種制御コードや特徴量の送受信、各種データの送受信を行う際に利用される。ＲＡＭ５２３は、制御コードやデータの解釈や印刷に必要な計算、印字データの処理のためのワークメモリに利用される。ＲＡＭ５２３に含まれるアプリケーションプログラム（ＡＰプログラム）５２４は、コンピュータ上で動作するアプリケーションソフトやドライバ等の動作を記述している。特徴量管理部５２５は、ＡＰプログラムとして原本情報登録時に原本となる文書から抽出された特徴量を受け取って管理する。また、特徴量検索部５２６は、原本情報鑑定時に受信した検索条件に基づいて要求された原本の特徴量を検索する。
【００３７】
ディスプレイ５４０は、コンピュータで処理した画像をユーザに表示し、ディスプレイコントローラ５２７はその表示を制御する。キーボード５５０はユーザの入力を受け付け、キーボードコントローラ５２８がそれを制御する。外部メモリ部５６０は、印字データや様々なホストコンピュータの情報などの保存に利用されるハードディスクなどの不揮発性メモリであって、メモリＩ／Ｆ部５２９を介して制御部５２０と接続されている。
【００３８】
外部メモリ５６０には、特徴量管理テーブル５７０が備えられており、原本性保証サーバに記憶（登録）された特徴量の管理を行う。上述した各機能部はシステムバス５１２によって接続されている。
【００３９】
次に、上述したシステム構成における原本性保証処理を具体的に以下に説明する。ここで、原本情報とは原本として指定された文書情報、登録情報とは原本として登録された文書情報、鑑定情報とは原本性を鑑定されるための文書情報、であるものとする。
【００４０】
図６は、図２に示した操作パネル１４０の液晶パネル部２０１に表示される画面の例を示している。図６は、ユーザが複合機１００を操作する前に、ユーザ認証してログインするために、ユーザＩＤとパスワードを入力する画面である。ユーザＩＤ入力欄６０１にユーザＩＤを、パスワード入力欄６０２にパスワードを入力して、図２に示したログインキー２０５を押下すると、予めＭｅｍｏｒｙ１８０に登録されているユーザ情報と照合し、一致すればユーザをログインさせる。このとき、ユーザＩＤ及びパスワードを入力する代わりに、ＩＣカードを挿入して、記憶された認証情報を読み出せるようにしてもよい。
【００４１】
図７は、ユーザがログインした後に最初に表示されるコピー基本画面である。モードキー７０１〜７０４は、複合機１００の機能別のモードを切替える際に押下される。スキャナ装置１７０によりデータを入力し、プリンタ装置１６０によりデータを出力するいわゆる複写処理を行う場合には、このコピー基本画面で詳細を設定し、スタートボタン２０２を押下すると処理が開始される。
【００４２】
図８は、モードキー７０２を押下した場合に表示される送信／ファクス基本画面である。この画面において、スキャナ装置１７０で入力したデータを外部装置に送信する場合や複合機１００内に備えられた記憶領域に格納する場合、またはファクシミリデータの送受信を行う場合の各種詳細設定を行う。
【００４３】
宛先表示欄８０１には、後述する宛先表などから設定した宛先を表示する。「宛先表から検索」ボタン８０２は、予め登録しておいた相手先情報を読み出して、宛先として設定する場合に押下する。「編集／消去」ボタン８０３は、既に設定した宛先を編集・消去する場合や、新規宛先を直接入力する場合に押下する。「コール」ボタン８０４は、過去に使用した宛先情報を読み出してくる場合に押下する。
【００４４】
送信方法選択ボタン８１１〜８１５は、ＦＡＸ送信やＥメール送信などの送信方法に応じた詳細な設定を行うための画面を表示する場合に押下する。例えば、メールにファクシミリ形式の画像を添付して送信するインターネットファクシミリ（ＩＦＡＸ）を用いて送信する場合には、宛先のメールアドレスや、解像度や圧縮方式などを設定することができる。
【００４５】
読込設定ボタン８２１は、スキャナ装置１７０を用いて原稿上の画像を読み取って入力する際の詳細を設定する場合に押下する。読込設定ボタン８２１を押下すると、図９に示す読込設定画面が表示され、原稿用紙サイズや読み取る解像度などを設定することができる。送信設定ボタン８２２は、データを暗号化して送信する場合や、パスワードをつけて送信する場合などにおいて、詳細を設定する場合に押下する。
【００４６】
登録ボタン８３１と鑑定ボタン８３２は、原本性保証サービスを利用する際に押下する。「登録」とは、例えばある文書をスキャナ装置１７０で読み取って入力し、その文書に基づく文書情報を原本としてネットワーク上の原本性保証サーバに登録することを示している。「鑑定」とは、例えば手持ちの文書をスキャナ装置１７０で読み取って、その文書に基づく文書情報を鑑定情報として、予め原本として登録しておいた登録情報と比較して類似性を判定し、変更（改竄）されているかどうかを判定することを指している。
【００４７】
図１０は登録ボタン８３１を押下した場合に表示される原本情報登録設定画面である。登録先選択欄１００１では、ドロップダウンリストにより表示されるネットワーク上の原本性保証サーバを選択する。このとき、所望の原本性保証サーバが選択肢にない場合には、ＩＰアドレスなどの装置を特定するための情報を直接入力できるようにしてもよい。
【００４８】
ＩＤ入力欄１００２では、原本性保証サービスを利用するためのユーザＩＤを入力する。パスワード入力欄１００３では、ＩＤ入力欄１００２に入力したＩＤに対応するパスワードを入力する。このとき、図６の画面で行ったユーザ認証と原本性保証サービスのユーザ認証とを連動させておけば、図１０の画面で別途ＩＤ・パスワードを入力する必要がなくなり、操作が簡単になる。
【００４９】
ここでＩＤやパスワードを用いてユーザ認証する効果としては、例えば原本性保証サービスを提供できる契約ユーザを認証するという点や、またはユーザ情報とともに原本情報を登録しておくことができるという点がある。
【００５０】
登録に関して、さらに詳細な設定を行う場合には、詳細設定ボタン１０２１を押下する。図１１は、詳細設定ボタン１０２１を押下した場合に表示される画面を示している。この画面において、ユーザは予め複数の状態（レイアウト、配置順、ページ向き、ページ順序など）を指定することができ、各条件における特徴量の抽出を行う指示ができる。
【００５１】
例えば、４ページからなる画像データの特徴量を抽出して、登録情報を作成する場合を想定する。この場合、図１１の画面上に示すいずれのチェックボックスも指定せずに登録処理を行った場合には、そのまま１ｉｎ１（１ページ／１枚）の４ページ（４枚）から特徴量が一つだけ抽出され、登録される。なお、このときページ毎に特徴量を抽出する、つまり４ページで４つの特徴量を抽出するようにしてもよい。
【００５２】
次に、同様に４ページからなる原稿の特徴量を登録する際に、レイアウト変更対応チェックボックス１１０１を選択した場合には、続くチェックボックス１１０２〜１１０４により選択されたレイアウトそれぞれに画像データを変更した上で特徴量を抽出する。例えば、チェックボックス１１０３の２ｉｎ１（２ページ／１枚）を選択した場合には、上述した１ｉｎ１の状態の画像データから抽出した特徴量に加えて、当該画像データを２ｉｎ１に変更した状態からも特徴量を抽出する。そして、それらを関連付けて原本性保証サーバに送信し、登録することができる。
【００５３】
全レイアウト対応チェックボックス１１０２を選択した場合には、図１２の１２０１〜１２０５に示すように、１ｉｎ１、２ｉｎ１、４ｉｎ１、８ｉｎ１、１６ｉｎ１の全てのレイアウトから特徴量を抽出することができる。なお、ここでは全５種類のレイアウトのみを示しているが、この他にも６ｉｎ１や９ｉｎ１などの他のレイアウトを追加してもよい。また、ここではどのように選択しても１ｉｎ１のレイアウトにおける特徴量を抽出するようにしているが、１ｉｎ１のレイアウトにおける特徴量の抽出が必要か否かもユーザに指定させるようにしてもよい。
【００５４】
全配置順対応チェックボックス１１０４を選択した場合には、それぞれのレイアウトにおける配置順毎の特徴量をそれぞれ抽出する。図１３には、４ｉｎ１における配置順の例を示す。図１３の１３０１〜１３０４に示すように、４ｉｎ１のレイアウトの場合には４種類の配置が可能である。ここで、前述した全配置順対応チェックボックス１１０４を選択した場合には、各配置順における特徴量をそれぞれ抽出し、４種類の特徴量の値が得られることになる。なお、ここでは全配置順に対応させるための指示しか受け付けないが、特定の配置順（例えば、「左上から下向き」など）を指定して、その配置順における特徴量のみを抽出するようにしてもよい。これにより、必要な特徴量のみを抽出することができ、特徴量を抽出するための処理にかかる負荷を軽減することができる。
【００５５】
ページ向き変更対応チェックボックス１１０５を選択した場合には、画像データに含まれる各ページの向きを変更した状態でのそれぞれの特徴量を抽出する。図１４には、４ｉｎ１で４ページの原稿の特徴量を抽出する場合に、ページ向きを変えた状態の例を示す。図１４の１４０１〜１４１６に示すように、この場合は１６種類の状態が存在する。ここで、前述したページ向き変更対応チェックボックス１１０５を選択した場合には、各状態における特徴量をそれぞれ抽出し、１６種類の特徴量の値が得られることになる。なお、ここでは全通りの組み合わせに対応させるための指示しか受け付けていないが、特定の組み合わせ（例えば、「２、３ページ目が逆」など）を指定して、その状態における特徴量のみを抽出するようにしてもよい。これにより必要な特徴量のみを抽出することができ、特徴量を抽出するための処理にかかる負荷を軽減することができる。
【００５６】
ページ順序変更対応チェックボックス１１０６を選択した場合には、画像データに含まれるページ順序を入れ替えた状態でのそれぞれの特徴量を抽出する。図１５には、４ｉｎ１で「左上から右向き」のレイアウトにおける４ページの原稿の特徴量を抽出する場合に、ページ順序を入れ替えた状態の例を示す。図１５の１５０１〜１５２４に示すように、この場合は２４種類の状態が存在する。ここで、前述したページ順序変更対応チェックボックス１１０６を選択した場合には、各状態における特徴量をそれぞれ抽出し、２４種類の特徴量の値が得られることになる。なお、ここでは全ページ順序に対応させるための指示しか受け付けていないが、特定のページ順序（例えば「１→３→２→４」など）を指定して、そのページ順序における特徴量のみを抽出するようにしてもよい。これにより、必要な特徴量のみを抽出することができ、特徴量を抽出するための処理にかかる負荷を軽減することができる。
【００５７】
以上の内容を入力して、ＯＫボタン１１１１を押下すると、入力した内容を確定させて図１０に示す画面に戻る。キャンセルボタン１１１２を押下すると、入力した内容を全て破棄して図１０に示す画面に戻る。
【００５８】
原本情報登録設定画面（図１０）での入力が完了したら、ＯＫボタン１０１１の押下後、スタートボタン２０２を押下することにより、原本として登録される原稿上の画像のスキャナ装置１７０による読み込みが開始される。また、キャンセルボタン１０１２を押下した場合には、入力内容を全て破棄して図８に示す送信／ファクス基本画面に戻る。
【００５９】
原稿上の画像の読み込みが完了すると、入力された画像データから抽出した特徴量を登録情報として原本性保証サーバ４０３に送信し、登録する。このとき、複数の特徴量を抽出した場合には、それぞれを関連付けて登録する。なお、原本性保証サーバ４０３には特徴量だけでなく、画像データそのものを一緒に送信して登録してもよい。これにより、ユーザは後述する登録ＩＤを用いて、登録したデータを特定する必要がなく、例えば画像検索を行って画像データを特定した上で、対応する登録情報を用いて原本性保証にかかる処理を行うこともでき、使い勝手がよくなる。
【００６０】
図１６は、原本性保証サーバ４０３への登録が完了した際に表示される登録完了画面を示している。登録完了画面には、登録データ表示欄１６００が設けられており、登録先の装置名と登録した時刻、登録ＩＤが登録データとして表示される。これらの情報は、鑑定を行う場合に、登録した原本情報を特定するために用いられる。
【００６１】
上述したような登録データを印刷出力する場合には、チェックボックス１６２１にチェックしてＯＫボタン１６３１を押下すれば、登録データの内容がプリンタ１６０により印刷出力される。また、登録データをメールで送信する場合には、チェックボックス１６２２にチェックを入れるとともにメールアドレスを入力してＯＫボタン１６３１を押下することにより、宛先に送信される。このように、登録データを印刷或いは送信出力することにより、わざわざ書き控える必要がなくなる。
【００６２】
次に「鑑定」の処理について詳細を説明する。図１７は、鑑定ボタン８３２を押下した場合に表示される原本情報鑑定設定画面である。鑑定先選択欄１７０１では、ドロップダウンリストにより表示されるネットワーク上の原本性保証サーバを選択する。このとき、所望の原本性保証サーバが選択肢にない場合には、ＩＰアドレスなどの装置を特定するための情報を直接入力できるようにしてもよい。
【００６３】
ＩＤ入力欄１７０２、パスワード入力欄１７０３については、原本情報登録設定画面と同様に、原本性保証サービスを利用するための認証情報を入力する。ここで、原本情報鑑定先を指定せずに、後述する検索条件に基づいて、ネットワーク上の複数の原本性保証サーバから所望の登録情報を検索するようにしてもよい。これにより、登録したサーバを忘れた場合にも、画像データの鑑定を行うことができる。または、鑑定対象の登録情報を特定せずに、１回の操作で複数の登録データとの比較を行うことができる。
【００６４】
鑑定に関して、さらに詳細な設定を行う場合には、詳細設定ボタン１７２１を押下する。図１８には、詳細設定ボタン１２２１を押下した場合に表示される画面を示す。ここで、鑑定を行う対象の登録情報を特定する情報である登録ＩＤが分かっている場合には、登録ＩＤを入力する。また、登録ＩＤが分からない場合には、ユーザ認証情報に基づいて登録情報に対応付けて記憶されている登録者、つまり原本情報を登録したユーザを指定することもできる。さらには、登録日、つまり原本情報を登録した日を指定することもできる。
【００６５】
上述したそれぞれの条件は、登録済の原本情報（つまり、登録情報）を特定するために用いられる。すなわち、必要に応じてそれぞれ条件を入力して、ＯＫボタン１８１１を押下して図１７に戻り、図１７のＯＫボタン１７１１を押下すると、入力した条件に合致する登録情報を探し出すことができる。条件に合致する原本情報とは、例えば登録ＩＤを指定した場合には１つだけかもしれないし、登録日のみを指定した場合には複数が抽出される可能性がある。また、検索条件に合致する登録情報が見つからなかった場合には、その旨を表示する。
【００６６】
以上、図８〜図１８に示した第１の実施形態における「登録」と「鑑定」の処理において、複合機１００のＣＰＵ１２５が制御する動作を分かりやすく示したものが図１９、図２０のフローチャートである。また、原本性保証サーバ４０３のＣＰＵ５３０が制御する動作を分かりやすく示したものが図２１のフローチャートである。
【００６７】
図１９は、「登録」の処理における動作に関するフローチャートである。まず、Ｓ１９０１において、登録情報の作成を開始する。Ｓ１９０１は、図１０におけるＯＫボタン１０１１を押下した後に、スタートボタン２０２を押下した場合の動作に対応している。次に、Ｓ１９０２において、原本として登録される原稿上の画像を読み込む。さらに、Ｓ１９０３において、読み込んだ画像データをビットマップ画像に展開し、Ｓ１９０４において特徴量を抽出する。
【００６８】
Ｓ１９０４で特徴量を抽出した後は、Ｓ１９０５に進み、指定された状態における特徴量を全て抽出し終えたかどうかを判断する。Ｓ１９０５の判断の結果、特徴量の抽出が完了していればＳ１９０６へ、まだ未抽出の特徴量が残っている場合には、Ｓ１９０３に戻り、必要な「状態」に応じて新たにビットマップ画像を作成し、Ｓ１９０４で特徴量を抽出する。なお、最初にビットマップ画像に展開する際に、必要な「状態」のビットマップデータを全て作成しておいてもよい。ここで、「状態」とはＮｉｎ１配置に係るレイアウト、ページの向き、ページの順序などに関する状態のことを言い、例えばレイアウトを変更する場合にはＮｉｎ１配置のＮの値を変更することによりレイアウトを変更することができる。
【００６９】
Ｓ１９０６では、ユーザが入力した情報に基づいて、原本性保証サーバ４０３にアクセスする。続いて、Ｓ１９０７で、ユーザが入力した認証情報に基づいてユーザ認証を行った認証結果を原本性保証サーバ４０３から受信して、認証が成功したか失敗したか判断する。認証に失敗した場合は、Ｓ１９１０で「エラー終了」する。認証に成功した場合は、Ｓ１９０８に進み、作成した登録情報を原本性保証サーバ４０３に送信して、終了する。なお、この終了処理に応じて、特徴量の登録を行った原稿の画像データを原本として印刷出力するようにしてもよい。
【００７０】
次に、図２０は「鑑定」の処理における動作に関するフローチャートである。まずＳ２００１において、鑑定情報の作成を開始する。Ｓ２００１は、図１７におけるＯＫボタン１７１１を押下した後に、スタートボタン２０２を押下した場合の動作に対応している。次に、Ｓ２００２において、鑑定を行う対象の原稿上の画像を読み込む。さらに、Ｓ２００３において、読み込んだ画像データをビットマップ画像に展開し、Ｓ２００４において特徴量を抽出する。なお、第１の実施形態では、鑑定情報の作成時は、特徴量は一種類（１つの状態から）のみ抽出するものとする。
【００７１】
Ｓ２００４にて特徴量を抽出した後は、Ｓ２００５に進み、ユーザが入力した情報に基づいて、原本性保証サーバ４０３にアクセスする。続いて、Ｓ２００６で、ユーザが入力した認証情報に基づいてユーザ認証を行った認証結果を原本性保証サーバ４０３から受信して、認証が成功したか失敗したか判断する。認証に失敗した場合は、Ｓ２００９で「エラー終了」する。認証に成功した場合は、Ｓ２００７に進み、鑑定情報を原本性保証サーバ４０３に送信して、終了する。
【００７２】
図２１は、原本性保証サーバ側で行う「鑑定」の処理における動作に関するフローチャートである。まず、Ｓ２１０１において複合機側がＳ２００７で送信した鑑定情報を、受信する。そして、Ｓ２１０２において対応する登録情報を読み出す。この時、図１８に示す画面上で登録ＩＤが入力されている場合は、その登録ＩＤに対応する登録情報を読み出してくる。登録ＩＤが指定されていない場合には、図１８の説明で述べたように、該当する登録情報を検索してもよい。
【００７３】
次にＳ２１０３において、受信した鑑定情報に含まれる特徴量と読み出してきた登録情報に含まれる特徴量とを用いて照合を行う。このとき、登録情報に複数の特徴量が含まれている場合には、そのうちいずれか一つの特徴量と、受信した鑑定情報に含まれる特徴量とを比較する。その結果、それぞれの特徴量が一致したかどうかをＳ２１０４で判定し、一致していなければＳ２１０５に進む。
【００７４】
Ｓ２１０５では、登録情報に含まれる複数の特徴量のうち、Ｓ２１０３で照合処理を行った特徴量とは異なる特徴量と、鑑定情報に含まれる特徴量とを比較する。その結果、それぞれの特徴量が一致したかどうかをＳ２１０６で判定し、一致していなければＳ２１０８に進む。
【００７５】
Ｓ２１０４またはＳ２１０６において、特徴量が一致すると判定した場合には、Ｓ２１０７に進み「一致処理」を行う。ここで、「一致処理」とは、例えば登録情報と鑑定情報の特徴量を照合した結果、一致したことを複合機側に通知するといった処理を行う。複合機１００は、通知された内容を操作パネル１４０に表示するか、またはプリンタ装置１７０で印刷する。なお、ここで特徴量が一致したことに応じて、鑑定された画像データが登録された画像データと同一である、即ち原本性を有するを証明する証明書を発行するようにしてもよい。
【００７６】
Ｓ２１０６で、一致しないと判定した場合は、Ｓ２１０８に進み、登録情報に含まれる全ての特徴量を、鑑定情報の特徴量と照合したかどうか判断する。ここで、登録情報に含まれる特徴量のうち、まだ照合されていない特徴量がある場合には、Ｓ２１０５に戻り、その特徴量と鑑定情報の特徴量との照合を行う。
【００７７】
Ｓ２１０８で、登録情報に含まれる全ての特徴量が照合済であった場合には、Ｓ２１０９に進み、「不一致処理」を行う。ここでいう「不一致処理」とは、例えば登録情報と鑑定情報の特徴量を照合した結果、一致しなかったことを複合機側に通知するという処理を行う。
【００７８】
以上のように説明した第１の実施形態によると、原稿上の画像を読み込むための複合機と、原本情報を登録しておく原本性保証サーバを含む原本性保証システムを用いて、予め登録しておいた登録情報に含まれる特徴量と、鑑定対象の鑑定情報に含まれる特徴量とを比較して原本性保証を行うことができる。さらに、登録情報を作成する際には、複数の異なる状態から特徴量をそれぞれ抽出し、関連付けて登録しておいて、それぞれを鑑定情報に含まれる特徴量と照合する。これにより、登録情報作成時と鑑定情報作成時で原稿のレイアウトや配置順、ページ向き、ページ順序などが異なっていたとしても適切な照合結果を得ることができる。
【００７９】
（第２の実施形態）
次に本発明における第２の実施形態について説明する。なお、ここでは第１の実施形態と同様な構成については説明を省略する。第２の実施形態における第１の実施形態との違いは、登録情報作成時は複数の特徴量は抽出せず、鑑定情報の作成時に複数の異なる状態から特徴量を抽出するという点である。
【００８０】
第２の実施形態では、図１０における詳細設定ボタン１０２１は表示されない。即ち、図１１に示す詳細設定画面が表示されることはなく、ＯＫボタン１０１１を押下した後、スタートボタン２０２の押下により登録処理が開始される。また、図１７に示す画面おける詳細設定ボタン１７２１を押下した場合には、図２２に示す詳細設定画面が表示される。ここでは、前述した登録ＩＤ、登録者、登録日を特定する情報の他に、鑑定を行う原稿に関する情報を入力することができる。即ち、鑑定を行う原稿の状態（レイアウト、各ページの向き、各ページの順序など）に関する情報を入力することができる。
【００８１】
レイアウト変更チェックボックス２２０１は、登録を行った際の原稿の状態と比較して、鑑定を行う原稿のレイアウトが変更されている場合に、その旨を入力する際に用いる。例えば、登録時の原稿が１ｉｎ１の状態であって、鑑定時の原稿が２ｉｎ１の状態になっている場合には、図示するように「２ｉｎ１」を選択する。こうすることにより、鑑定情報の作成時には、原稿を読み取って得たデータを１ｉｎ１の状態に変換した上で特徴量を抽出する。なお、ここではレイアウト変更の可能性がある項目を複数選択することができる。また、上述のようにユーザに選択させずに、自動的に複数のレイアウトにおける特徴量を抽出するようにしてもよい。
【００８２】
ページ向き変更有無チェックボックス２２０２及びページ順序変更有無チェックボックス２２０３は、それぞれ原稿中のページの向きが変更されている場合及びページの順序が入れ替わっている場合に選択する。こうすることにより、鑑定情報の作成時には、第１の実施形態の「ページ向き変更対応」ボタン１１０５及び「ページ順序変更対応」ボタン１１０６に関して説明したように、全てのページ向きの組み合わせ及びページ順序の状態における特徴量を抽出する。
【００８３】
第２の実施形態における「登録」と「鑑定」の処理において、複合機１００のＣＰＵ１２５が制御する動作を分かりやすく示したものが図２３、２４のフローチャートである。また、原本性保証サーバ４０３のＣＰＵ５３０が制御する動作を分かりやすく示したものが図２５のフローチャートである。
【００８４】
図２３は、「登録」の処理における動作に関するフローチャートである。本フローチャートにおけるＳ２２０１〜Ｓ２００９は、それぞれ第１の実施形態における図１９中のＳ１９０１〜Ｓ１９０４、Ｓ１９０６〜Ｓ１９１０と同様であるので説明は省略する。本フローチャートでは図１９中のＳ１９０５のように特徴量を全て抽出したか判定するステップがない。すなわち、ここでは特徴量を一種類だけ抽出し、送信する。
【００８５】
図２４は、「鑑定」の処理における動作に関するフローチャートである。Ｓ２４０１〜Ｓ２４０４、及びＳ２４０６〜Ｓ２４１０は、それぞれ第１の実施形態における図２０中の各ステップと同様であるので説明は省略する。Ｓ２４０５では、上述したように、第１の実施形態において特徴量を一種類のみ抽出するのとは異なり、指定された全ての状態から特徴量を抽出したかどうかを判定し、未抽出の特徴量があればＳ２４０３に戻り、完了していればＳ２４０６へ進む。すなわち、ここでは指定された状態における特徴量をそれぞれ抽出し登録する。
【００８６】
図２５は、原本性保証サーバ側で行う「鑑定」の処理における動作に関するフローチャートである。まず、Ｓ２５０１において複合機側がＳ２４０８で送信した鑑定情報を、受信する。そして、Ｓ２５０２において対応する登録情報を読み出す。この時、図１８に示す画面上で登録ＩＤが入力されている場合は、その登録ＩＤに対応する登録情報を読み出してくる。登録ＩＤが指定されていない場合には、図１８の説明で述べたように、該当する登録情報を検索してもよい。
【００８７】
次にＳ２５０３において、受信した鑑定情報に含まれる特徴量と読み出した登録情報に含まれる特徴量とを用いて照合を行う。このとき、鑑定情報に複数の特徴量が存在する場合には、そのうちいずれか一つの特徴量と、読み出した登録情報に含まれる特徴量とを比較する。その結果、それぞれの特徴量が一致したかどうかをＳ２５０４で判定し、一致していなければＳ２５０５に進む。
【００８８】
Ｓ２５０５では、鑑定情報に含まれる特徴量のうち、Ｓ２５０３で照合処理を行った特徴量とは異なる特徴量と、登録情報に含まれる特徴量とを比較する。その結果、それぞれの特徴量が一致したかどうかをＳ２５０６で判定し、一致していなければＳ２５０８に進む。
【００８９】
Ｓ２５０４またはＳ２５０６において、特徴量が一致すると判定した場合には、Ｓ２５０７に進み「一致処理」を行う。ここで、「一致処理」とは、例えば登録情報と鑑定情報の特徴量を照合した結果、一致したことを複合機側に通知するといった処理を行う。複合機１００は、通知された内容を操作パネル１４０で表示するか、またはプリンタ装置１７０により印刷する。また、このとき特徴量が一致したことを証明する証明書を発行するようにしてもよい。
【００９０】
Ｓ２５０６で、一致しないと判定した場合は、Ｓ２５０８に進み、鑑定情報に含まれる全ての特徴量の値を照合し終えたかどうか判断する。ここで、鑑定情報に含まれる特徴量のうち、まだ照合されていない特徴量がある場合には、Ｓ２５０５に戻り、該当する特徴量と鑑定情報の特徴量との照合を行う。
【００９１】
Ｓ２５０８で、鑑定情報に含まれる全ての特徴量が照合済であった場合には、Ｓ２５０９に進み、「不一致処理」を行う。ここでいう「不一致処理」とは、例えば登録情報と鑑定情報の特徴量を照合した結果、一致しなかったことを複合機１００側に通知するといった処理を行う。
【００９２】
なお、ここでは鑑定情報作成時に、ユーザの指示に基づいて特徴量を抽出するレイアウトを決めていたが、読み込んだ原稿に含まれるページ数を認識することにより、特徴量を抽出するレイアウトを自動的に決めてもよい。これにより、ユーザはレイアウトを指定する手間を省くことができ、使い勝手がよくなる。
【００９３】
以上のように説明した第２の実施形態によると、原稿を読み込むための複合機と、原本情報を登録しておく原本性保証サーバを含む原本性保証システムを用いて、予め登録しておいた登録情報と、鑑定対象の鑑定情報とを比較して原本性保証を行うことができる。さらに、鑑定情報を作成する際には、複数の異なる状態から特徴量をそれぞれ抽出し、原本性保証サーバに送信し、それぞれを登録情報に含まれる特徴量と照合する。これにより、登録情報作成時と鑑定情報作成時で原稿のレイアウトや配置順、ページ向き、ページ順序などが異なっていたとしても適切な照合結果を得ることができる。
【００９４】
（第３の実施形態）
次に本発明における第３の実施形態について説明する。なお、ここでは第１及び第２の実施形態と同様な構成については説明を省略する。第３の実施形態における第１及び第２の実施形態との違いは、登録情報を送信する際に、それらに含まれる特徴量がそれぞれどのような状態の原稿から抽出されたかを示す情報とともに送信する点である。また、原本性保証サーバにおいて登録情報に含まれる特徴量を、その抽出が行われた際の原稿の状態を示す情報とともに管理している点が異なる。さらに、鑑定情報を作成する際に、原稿の状態をユーザが指定し、その情報とともに鑑定情報を原本性保証サーバに送信する点が異なる。
【００９５】
第３の実施形態では、図１７に示す画面における詳細設定ボタン１７２１を押下した場合には、図２６に示す詳細設定画面が表示される。ここでは、前述したように登録ＩＤ、登録者、登録日を特定する情報の他に、鑑定を行う原稿に関する情報を入力することができる。即ち、鑑定を行う原稿の状態（レイアウト、各ページの向き、各ページの順序など）に関する情報を入力することができる。
【００９６】
図２６において、入力欄２６１１〜２６１４はそれぞれ原稿の状態（レイアウト、配置順、ページ向き、ページ順序）をドロップダウンの選択肢から選択することができる。なお、ここではそれぞれの項目において一つずつを選択するようにしているが、一つの項目において複数を選択するようにする、または選択しないことも可能とするようにしてもよい。これにより、ユーザは鑑定を行う原稿の状態を正確に把握していなくとも、知りうる限りの情報を用いて原稿の状態を指定することが可能となる。
【００９７】
第３の実施形態における「登録」と「鑑定」の処理において、複合機１００のＣＰＵ１２５が制御する動作を分かりやすく示したものが図２７、２９のフローチャートである。また、原本性保証サーバ４０３のＣＰＵ５３０が制御する動作を分かりやすく示したものが図３０のフローチャートである。
【００９８】
図２７は、「登録」の処理における動作に関するフローチャートである。本フローチャートにおけるＳ２７０１〜Ｓ２７０７、及びＳ２７０９〜Ｓ２７１０は、それぞれ第１の実施形態における図１９中のＳ１９０１〜Ｓ１９０７、及びＳ１９０９〜Ｓ１９１０と同様であるので説明は省略する。Ｓ２７０８では、Ｓ１９０８と同様に登録情報を送信するとともに、特徴量の抽出を行った際の文書の状態（レイアウト、各ページの向き、ページ順序など）を示す情報も付加して送信する。
【００９９】
図２８は、原本性保証サーバ４０３に備えられた特徴量管理テーブル５７０の一例を示している。Ｓ２７０８で送信された登録情報に含まれる特徴量と、それらが抽出された際の原稿の状態を示す情報は、図中に示す管理テーブルによって管理されている。図中の表２８０１は、「文書１」という原稿から抽出した登録情報を管理するテーブルを示している。ここでは、３ページからなる「文書１」を２ｉｎ１及び４ｉｎ１において、順序の変更に対応可能に抽出した１２個の特徴量の値を管理している。また、表２８０２は、「文書２」という原稿から抽出した登録データを管理するテーブルを示している。ここでは８ページからなる「文書２」を１ｉｎ１、２ｉｎ１、４ｉｎ１、８ｉｎ１において、配置順の変更に対応可能に抽出した１１個の特徴量の値を管理している。
【０１００】
図２９は、「鑑定」の処理における動作に関するフローチャートである。Ｓ２９０１〜Ｓ２９０７、及びＳ２９０９〜Ｓ２９１０はそれぞれ第２の実施形態における図２４中のＳ２４０１〜Ｓ２４０７、及びＳ２４０９〜Ｓ２４１０と同様であるので説明は省略する。Ｓ２９０８では、Ｓ２４０８と同様に鑑定情報を送信するとともに、特徴量の抽出を行った際の原稿の状態を示す情報を付加して送信する。具体的には、図２６に示す画面において、入力欄２６１１〜２６１４で入力した情報を付加して送信する。
【０１０１】
図３０は、原本性保証サーバ側で行う「鑑定」の処理における動作に関するフローチャートである。まず、Ｓ３００１において複合機側がＳ２９０８で送信した鑑定情報を、受信する。そして、Ｓ３００２において対応する登録情報を読み出す。この時、図１８に示す画面上で登録ＩＤが入力されている場合は、その登録ＩＤに対応する登録データを読み出してくる。登録ＩＤが指定されていない場合には、図１８の説明で述べたように、該当する登録情報を検索してもよい。
【０１０２】
続くＳ３００３では、読み出してきた登録情報の中に、ユーザが図２６の入力欄２６１１〜２６１４で特定した状態において抽出した特徴量があるか否かを判定する。ここで、条件に合致する特徴量が含まれていない場合には、Ｓ３００４に進み「エラー処理」を行う。ここで「エラー処理」とは、例えば複合機側に条件にあう特徴量が保存されていないことを通知してもよいし、保存されている特徴量が抽出された「状態」のリストをユーザに知らせてもよい。
【０１０３】
次にＳ３００５において、受信した鑑定情報に含まれる特徴量と、読み出した登録情報に含まれる特徴量のうち指定された状態で抽出されたものとを用いて比較を行う。その結果、それぞれの特徴量が一致したかどうかをＳ３００６で判定し、一致していなければＳ３００７に進む。
【０１０４】
Ｓ３００７では、登録情報に含まれる特徴量の中で指定された状態で抽出されたもののうち、Ｓ３００５で照合処理を行った特徴量とは異なる特徴量と、鑑定情報に含まれる特徴量とを比較する。その結果、それぞれの特徴量が一致したかどうかをＳ３００８で判定し、一致していなければＳ３０１０に進む。
【０１０５】
Ｓ３００６またはＳ３００８において、特徴量が一致すると判定した場合には、Ｓ３００９に進み「一致処理」を行う。ここで、「一致処理」とは、例えば登録情報と鑑定情報の特徴量を照合した結果、一致したことを複合機側に通知するといった処理を行う。また、特徴量が一致したことを証明する証明書を発行するようにしてもよい。
【０１０６】
Ｓ３００８で、一致しないと判定した場合は、Ｓ３０１０に進み、登録情報に含まれる特徴量のうち指定された状態で抽出された全ての特徴量の値を照合し終えたかどうか判断する。ここで、該当する特徴量のうち、まだ照合されていない特徴量がある場合には、Ｓ３００７に戻り、その特徴量と鑑定情報の特徴量との照合を行う。
【０１０７】
Ｓ３０１０で、鑑定情報に含まれる全ての特徴量が照合済であった場合には、Ｓ３０１１に進み、「不一致処理」を行う。ここでいう「不一致処理」とは、例えば登録情報と鑑定情報の特徴量を照合した結果、一致しなかったことを複合機側に通知するといった処理を行う。
【０１０８】
なおこの時、複合機側において、サーバからの「一致」または「不一致」の通知に応じて、液晶パネル部２０１にその旨を表示する、またはプリント出力するようにしてもよい。これにより、照合結果を簡単にユーザに通知することができる。
【０１０９】
なお、ここでは鑑定情報作成時に、ユーザの指示に基づいて原稿のレイアウトを特定しているが、読み込んだ原稿に含まれるページ数を認識することにより、原稿のレイアウトを自動的に特定してもよい。これにより、ユーザは原稿のレイアウトを指定する手間を省くことができ、使い勝手がよくなる。
【０１１０】
以上のように説明した第３の実施形態によると、原稿を読み込むための複合機と、原本情報を登録しておく原本性保証サーバを含む原本性保証システムを用いて、予め登録しておいた登録情報と、鑑定対象の鑑定情報とを比較して原本性保証を行うことができる。さらに、複合機は鑑定情報を送信する際に、原稿の状態を示す情報を付加して送信し、原本性保証サーバはその情報に基づいて保存されている特徴量を読み出して照合する。鑑定時には、登録情報に含まれる特徴量のうち指定した状態で抽出された特徴量のみと、鑑定情報に含まれる特徴量とを照合する。これにより登録情報作成時と鑑定情報作成時で原稿のレイアウトや配置順、ページ向き、ページ順序が異なっていたとしても適切な照合結果を効率よく得ることができる。
【０１１１】
（第４の実施形態）
次に本発明における第４の実施形態について説明する。なお、ここでは第１、第２及び第３の実施形態と同様な構成については説明を省略する。第４の実施形態における第１、第２及び第３の実施形態との違いは、登録情報及び鑑定情報作成時には複数の特徴量は抽出しない点である。さらに、特徴量を照合した際に原本性保証サーバから「不一致」の通知を受けた場合に、新たに異なる状態から特徴量を抽出して鑑定情報を再作成するという点が異なる。
【０１１２】
第４の実施形態における「鑑定」の処理において、複合機１０１のＣＰＵ１２５及び原本性保証サーバ４０３のＣＰＵ５３０が制御する動作を分かりやすく示したものが図３１のフローチャートである。なお、第４の実施形態における「登録」の処理における動作は、第２の実施形態における動作と同様であるので、説明は省略する。
【０１１３】
まずＳ３１０１〜Ｓ３１０４において、第１の実施形態（図２０）と同様にして特徴量を抽出する。続いて、サーバ側にアクセスし、原本性保証サーバはＳ３１０５でユーザ認証の処理を行い、その結果を複合機側に通知する。複合機は、Ｓ３１０６にて、サーバ側から通知された結果に基づいて、Ｓ３１０７に進んでエラー処理するか、Ｓ３１０８に進んで特徴量を送信するか、を判断する。
【０１１４】
Ｓ３１０８で複合機側から特徴量を送信した場合、サーバ側ではＳ３１０９において対応する登録情報を読み出してきて、Ｓ３１１０において、読み出した登録情報に含まれる特徴量と、受信した鑑定情報に含まれる特徴量とを照合する。続くＳ３１１１において、照合した結果それぞれの特徴量が一致したかどうか判定し、一致していればＳ３１１７に進み「一致処理」を行い、一致していなければＳ３１１２に進み「不一致処理」を行う。ここで「一致処理」と「不一致処理」とは第１、第２及び第３の実施形態で説明したのと同様に、複合機に対してそれぞれの照合の結果を通知する。
【０１１５】
Ｓ３１１２で「不一致処理」をした場合には、その結果を受けて複合機はＳ３１１３において、Ｓ３１０４で特徴量を抽出した場合とは異なる状態から新たに特徴量を抽出する。この時、特徴量抽出部１１５は、Ｓ３１０２で原稿を読み取って記憶されている保存データから新たな「状態」のビットマップ画像データを作成して、そこから特徴量を抽出するので、再度原稿を読み取る必要はない。
【０１１６】
Ｓ３１１４において、Ｓ３１１３で抽出した特徴量をサーバ側に送信し、サーバ側ではＳ３１０９で読み出した登録情報に含まれる特徴量と照合する。続くＳ３１１６で、照合した結果、それぞれの特徴量が一致したかどうか判定し、一致していればＳ３１１７に進み「一致処理」を行い、一致していなければＳ３１１８に進み「不一致処理」を行う。
【０１１７】
Ｓ３１１８で「不一致処理」をした場合には、その結果を受けて複合機１００はＳ３１１９において、全通りの状態からの特徴量を鑑定情報として抽出済か否かを判断する。全通りの状態とは、予め設定しておいたレイアウト、配置順、ページ向き、ページ順序などの組み合わせにより作られる「状態」の全通りのことを示す。ここで、特徴量を抽出していない「状態」があれば、Ｓ３１１３に戻り、その「状態」から新たに特徴量を抽出し、以下同様にしてサーバ側にて照合を行う。Ｓ３１１９において、全通りの状態からの特徴量の抽出が完了していると判断した場合にはＳ３１２０に進み、動作を終了する。
【０１１８】
第１、第２及び第３の実施形態では、サーバ側からの「一致」または「不一致」の通知に応じて、複合機側で照合結果を液晶パネル部２０１に表示したりするようにしているが、第４の実施形態における「不一致」の場合はＳ３１２０の終了処理に応じて表示する。すなわち、Ｓ３１１２の「不一致処理」の段階では、完全に不一致であることが確定している訳ではないので、Ｓ３１１２では「不一致」の通知をせず、Ｓ３１２０の「終了」に応じて「不一致」の通知をするようにしている。
【０１１９】
以上のように説明した第４の実施形態によると、原稿を読み込むための複合機と、原本情報を登録しておく原本性保証サーバを含む原本性保証システムを用いて、予め登録しておいた登録情報と、鑑定対象の鑑定情報とを比較して原本性保証を行うことができる。さらに、登録情報に含まれる特徴量と鑑定情報に含まれる特徴量とを照合して、一致しない場合に、再度異なる状態から鑑定情報として特徴量を抽出して照合する。これにより、登録情報作成時と鑑定情報作成時で原稿の状態が異なっていたとしても適切な照合結果を得ることができる。さらに第１、第２及び第３の実施形態と比べて、特徴量の抽出回数が少ないので、抽出の処理にかかる時間を減少させることができる。
【０１２０】
なお、本発明は上述したような構成の原本性保証システムに限定されるべきものではない。第１〜第３の実施形態においては、原本情報を登録する手段は、ネットワークを介して複合機と接続された原本性保証サーバであったが、この原本性保証サーバが提供する機能は、複合機内部に備えられていてもよい。これにより、ネットワーク環境が十分でなくとも、簡易的に原本性保証を行うことができ、また特徴量すらネットワークに送出する必要がないのでセキュリティーが高くなる。
【０１２１】
また本発明は、原本性保証サービスを提供するシステムに限定されるべきものではなく、電子文書を保管しておくサービスや、文書管理サーバに所望の文書を登録しておける機能に応用させることが可能である。
【０１２２】
また本発明は、スキャナ装置１７０で入力したデータから抽出した特徴量を用いるものに限定されず、例えばＭＥＭＯＲＹ１８０などの記憶領域に保存されている画像データから登録情報または鑑定情報としての特徴量を抽出し、登録・鑑定処理を行ってもよい。
【０１２３】
（その他の実施形態）
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【０１２４】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１２５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１２６】
その場合、プログラムの機能を有していれば、オブジェクトコード、インタプリタにより実行されるプログラム、ＯＳに供給するスクリプトデータ等の形態であっても良い。
【０１２７】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）。
【０１２８】
その他、プログラムの供給方法としては、クライアントコンピュータのブラウザを用いてインターネットのホームページからハードディスク等の記録媒体にダウンロードすることによっても供給できる。すなわち、ホームページに接続し、該ホームページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２９】
また、本発明のプログラムを暗号化してＣＤ−ＲＯＭ等の記憶媒体に格納してユーザに配布する。そして、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１３０】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【０１３１】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【０１３２】
【図１】本発明の実施形態における複合機の構成を示すブロック図である。
【図２】本発明の実施形態における操作部の外観図である。
【図３】本発明の実施形態における複合機全体の外観図である。
【図４】本発明の実施形態におけるシステム構成図である。
【図５】本発明の実施形態における原本性保証サーバの構成を示すブロック図である。
【図６】本発明の実施形態における操作画面に表示されたユーザ認証画面を示す図である。
【図７】本発明の実施形態における操作画面に表示されたコピー基本画面を示す図である。
【図８】本発明の実施形態における操作画面に表示された送信／ファクス基本画面を示す図である。
【図９】本発明の実施形態における操作画面に表示された読込設定画面を示す図である。
【図１０】本発明の実施形態における操作画面に表示された原本情報登録設定画面を示す図である。
【図１１】本発明の実施形態における操作画面に表示された登録詳細設定画面を示す図である。
【図１２】本発明の実施形態におけるレイアウト変更の種類の一覧を示す図である。
【図１３】本発明の実施形態における配置順変更の種類の一覧を示す図である。
【図１４】本発明の実施形態におけるページ向き変更の種類の一覧を示す図である。
【図１５】本発明の実施形態におけるページ順序変更の種類の一覧を示す図である。
【図１６】本発明の実施形態における操作画面に表示された登録完了画面を示す図である。
【図１７】本発明の実施形態における操作画面に表示された原本データ鑑定設定画面を示す図である。
【図１８】本発明の実施形態における操作画面に表示された鑑定詳細設定画面を示す図である。
【図１９】本発明の実施形態における動作を示すフローチャートである。
【図２０】本発明の実施形態における動作を示すフローチャートである。
【図２１】本発明の実施形態における動作を示すフローチャートである。
【図２２】本発明の実施形態における操作画面に表示された鑑定詳細設定画面を示す図である。
【図２３】本発明の実施形態における動作を示すフローチャートである。
【図２４】本発明の実施形態における動作を示すフローチャートである。
【図２５】本発明の実施形態における動作を示すフローチャートである。
【図２６】本発明の実施形態における操作画面に表示された鑑定詳細設定画面を示す図である。
【図２７】本発明の実施形態における動作を示すフローチャートである。
【図２８】本発明の実施形態における特徴量管理テーブルを示す図である。
【図２９】本発明の実施形態における動作を示すフローチャートである。
【図３０】本発明の実施形態における動作を示すフローチャートである。
【図３１】本発明の実施形態における動作を示すフローチャートである。
【符号の説明】
【０１３３】
１００  複合機
１１０  プログラムＲＯＭ
１１１  制御データ解釈部
１１２  ＰＤＬデータ解釈部
１１３  画像情報生成部
１１４  ビットマップ画像展開部
１１５  特徴量抽出部
１１６  照合部
１２０  制御ユニット
１２１  入出力部
１２２  入出力バッファ
１２３  パネルＩ／Ｆ部
１２４  メモリＩ／Ｆ部
１２５  ＣＰＵ
１２６  ビットマップ画像転送部
１２７  エンジンＩ／Ｆ部
１２８  不揮発性ＲＡＭ（ＮＶＲＡＭ）
１２９  ＲＡＭ
１３０  ビットマップ画像受信部
１３１  スキャナＩ／Ｆ部
１４０  操作パネル部
１５０  外部メモリ
１６０  プリンタ装置
１６１  エンジン制御部
１７０  スキャナ装置
１７１  スキャナ制御部
１８０  Ｍｅｍｏｒｙ
１８１  ネットワーク
１８２  ネットワークケーブル
１８３  システムバス
【図１】
2007316849.tif 000003
【図２】
2007316849.tif 000004
【図３】
2007316849.tif 000005
【図４】
2007316849.tif 000006
【図５】
2007316849.tif 000007
【図６】
2007316849.tif 000008
【図７】
2007316849.tif 000009
【図８】
2007316849.tif 000010
【図９】
2007316849.tif 000011
【図１０】
2007316849.tif 000012
【図１１】
2007316849.tif 000013
【図１２】
2007316849.tif 000014
【図１３】
2007316849.tif 000015
【図１４】
2007316849.tif 000016
【図１５】
2007316849.tif 000017
【図１６】
2007316849.tif 000018
【図１７】
2007316849.tif 000019
【図１８】
2007316849.tif 000020
【図１９】
2007316849.tif 000021
【図２０】
2007316849.tif 000022
【図２１】
2007316849.tif 000023
【図２２】
2007316849.tif 000024
【図２３】
2007316849.tif 000025
【図２４】
2007316849.tif 000026
【図２５】
2007316849.tif 000027
【図２６】
2007316849.tif 000028
【図２７】
2007316849.tif 000029
【図２８】
2007316849.tif 000030
【図２９】
2007316849.tif 000031
【図３０】
2007316849.tif 000032
【図３１】
2007316849.tif 000033